(57)【要約】      （修正有） 【課題】遠赤外線の作用を有する容器を提供する。【解決手段】遠赤外線の作用を有する容器は、内部の収容空間を形成するように、外周壁１１に頂部開口とそれに相対する底部壁とを有する中空形状の容器本体１と、該容器本体の頂部に閉じられる頂部キャップ２と、該容器本体の外側表面に固定配置される取付件３と、を含み、該取付件が遠赤外線を放射する材料を含有し、それから放射される遠赤外線を該容器本体の外側表面を通って該収容空間の内にある飲食品に作用し、飲食品の酸っぱさを低下させ、人体に適され、人体の新陳代謝を向上させ、健康に役立つ。【選択図】図１
0003223259.tif 000002
【実用新案登録請求の範囲】
【請求項１】
内部の収容空間を形成するように、外周壁に頂部開口とそれに相対する底部壁とを有する中空形状の容器本体と、
該容器本体の頂部に閉じられる頂部キャップと、
該容器本体の外側表面に固定配置される取付件と、
を含み、該取付件が遠赤外線を放射する材料を含有し、それから放射される遠赤外線を該容器本体の外側表面を通って該収容空間の内で作用することを特徴とする遠赤外線の作用を有する。
【請求項２】
該取付件がカラーとして設定され、該カラーが遠赤外線を放射する材料を含有し、該容器本体の該外周壁の外側表面に、該カラーが被装されて位置決めをされるようにリング溝が設けられることを特徴とする請求項１に記載の遠赤外線の作用を有する容器。
【請求項３】
該取付件がスリーブとして設定され、該スリーブが遠赤外線を放射する材料を含有し、頂部開口とそれに相対する底部とを有し、該スリーブが該容器本体の該外周壁の下段と該底部壁に被装されて位置決めをされることを特徴とする請求項１に記載の遠赤外線の作用を有する容器。
【請求項４】
該取付件がスペーサーとして設定され、該スペーサーが遠赤外線を放射する材料を含有し、該容器本体の該外周壁の下段と該底部壁にスリーブが被装され、該スリーブが頂部開口とそれに相対する底部とを有し、該スペーサーが該容器本体の該底部壁と該スリーブの該底部との間に設けられることを特徴とする請求項１に記載の遠赤外線の作用を有する容器。
【請求項５】
該容器本体の該外周壁の下段に外回りに間隔で複数の軸方向凹槽が設けられ、各該軸方向凹槽の頂端に側方向に延伸する係合溝が連接され、該スリーブの内周縁に間隔で複数の係合ブロックが設けられ、各該係合ブロックがそれぞれにそれに相対する該係合溝に係合されることを特徴とする請求項４に記載の遠赤外線の作用を有する容器。
【考案の詳細な説明】
【技術分野】
【０００１】
本考案は飲食用に関し、特に遠赤外線の作用を有する容器に関する。
【背景技術】
【０００２】
お茶や飲料を盛る類似飲食用容器の形式と種類は多く、例えば、壺、ボトル、缶、及びカップなどが挙げられ、お茶や飲料などの液体を盛ったり飲んだりするようにする。
【０００３】
目下、壺、ボトル、及び缶の類似飲食用容器は、通常に中空の直立形状であり、容器の頂部に一体に開口部が設けられ、お茶や飲料などの液体を入れるようにし、必要に合せてキャップを可動的に取り付けることが可能である。
【０００４】
従来の壺、ボトル、及び缶の類似飲食用容器については、携帯のしやすさに基づき、普通に容器をプラスチックで一体的に射出成形され、総重量を減らすようにする。しかしながら、プラスチック容器の外周部分は一体的に延伸する表面に過ぎず、追加機能なしでただ単に液体を盛り、さらなる合理的な適用性に欠けるものであるので、それに改善を加える必要がある。
【先行技術文献】
【特許文献】
【０００５】
【特許文献１】特開2014-100129号公報
【考案の概要】
【考案が解決しようとする課題】
【０００６】
本考案の主な目的は、容器本体の外側表面に取付件固定配置され、該取付件が遠赤外線を放射する材料を含有し、それから放射される遠赤外線を該容器本体の外側表面を通って収容空間の内にある飲食品に作用し、飲食品の酸っぱさを低下させ、人体に適され、人体の新陳代謝を向上させ、健康に役立つになり、現実の必要を満たすものを提供することにある。
【課題を解決するための手段】
【０００７】
上述した目的を達成するために、本考案の遠赤外線の作用を有する容器は、内部の収容空間を形成するように、外周壁に頂部開口とそれに相対する底部壁とを有する中空形状の容器本体と、該容器本体の頂部に閉じられる頂部キャップと、該容器本体の外側表面に固定配置される取付件と、を含み、該取付件が遠赤外線を放射する材料を含有し、それから放射される遠赤外線を該容器本体の外側表面を通って該収容空間の内で作用する。
【０００８】
上記の遠赤外線の作用を有する容器において、該取付件がカラーとして設定され、該カラーが遠赤外線を放射する材料を含有し、該容器本体の該外周壁の外側表面に、該カラーが被装されて位置決めをされるようにリング溝が設けられる。
【０００９】
上記の遠赤外線の作用を有する容器において、該取付件がスリーブとして設定され、該スリーブが遠赤外線を放射する材料を含有し、頂部開口とそれに相対する底部とを有し、該スリーブが該容器本体の該外周壁の下段と該底部壁に被装されて位置決めをされる。
【００１０】
上記の遠赤外線の作用を有する容器において、該取付件がスペーサーとして設定され、該スペーサーが遠赤外線を放射する材料を含有し、該容器本体の該外周壁の下段と該底部壁にスリーブが被装され、該スリーブが頂部開口とそれに相対する底部とを有し、該スペーサーが該容器本体の該底部壁と該スリーブの該底部との間に設けられる。
【００１１】
上記の遠赤外線の作用を有する容器において、該容器本体の該外周壁の下段に外回りに間隔で複数の軸方向凹槽が設けられ、各該軸方向凹槽の頂端に側方向に延伸する係合溝が連接され、該スリーブの内周縁に間隔で複数の係合ブロックが設けられ、各該係合ブロックがそれぞれにそれに相対する該係合溝に係合される。
【図面の簡単な説明】
【００１２】
【図１】本考案の遠赤外線の作用を有する容器の立体図である。
【図２】図１に示す容器の頂部キャップが開けられた状態の立体図である。
【図３】図２に示す容器本体に取付件が被装された状態の立体図である。
【図４】図３に示す容器本体に取付件が被装された状態の断面図である。
【図５】図３に示す容器本体と取付件との立体分解図である。
【図６】図５に示す容器本体とスリーブとの立体分解図である。
【図７】図６に示す容器本体とスリーブ及びスペーサーとの立体分解図である。
【図８】図７に示す容器本体とスリーブ及びスペーサーとの断面図である。
【図９】本考案のもう一つの実施例の遠赤外線の作用を有する容器の立体図である。
【図１０】図９に示す容器の頂部キャップが開けられた状態の立体図である。
【考案を実施するための形態】
【００１３】
本考案が上述の目的を達成するための技術手段とその効果について、下記に実施可能な実施例を挙げ、図面に合せて説明する。
【実施例】
【００１４】
（第一実施例）
図１から図５までに示す実施例を参照し、図面から本考案に係る遠赤外線の作用を有する容器が、主に壺、ボトル、缶、及びカップなど、特に携帯式の飲食用容器を目標としたものであることは分かる。図１にボトル類や缶類の容器を実施例として説明し、本考案の容器には、中空形状で立設する容器本体１が設けられ、さらに可動的に頂部キャップ２と、取付件３と、取付件４と、取付件５と、持ち手６とが設けられ、携帯式のボトルになるようにされる。
【００１５】
該容器本体１は、適当な容積に設定され、該容器本体１の内部の収容空間１２を形成するように、該容器本体１の外周壁１１に頂端から頂部開口１３と雄ねじ１７とを含む凸縁部１５が伸びられ、並びに該外周壁１１の底端からそれに相対する底部壁１４が一体的に伸びられ、該外周壁１１の中段にリング溝１６が設けられ、該外周壁１１の下段に外回りに間隔で複数の軸方向凹槽１８が設けられ、各該軸方向凹槽１８の頂端に側方向に延伸する係合溝１９が連接される。
【００１６】
該頂部キャップ２は安全性を具備したプラスチック材質を採用可能であり、そのキャップ支持座２１が下方へ可動的に該容器本体１の該雄ねじ１７に組み合わせでロックされ、該キャップ支持座２１に液体排出口２３と通気孔２５が設けられ、そしてその背上げ式のキャップ本体２２にそれらに対応する穴塞ぎ部材２４とシール部材２６が設けられ、該キャップ本体２２に相対する鉤部２８をかける又は外すことを制御するように、該キャップ支持座２１の外周にスナップ２７とスナップリング２９が設けられる。
【００１７】
該取付件３は、該容器本体１の該外周壁１１の外側表面に被装されて位置決めをされ、該取付件３自体が弾性材料で遠赤外線を放射する材料を含有し、それから放射される遠赤外線を該容器本体１の該外周壁１１の外側表面を通って該収容空間１２の内にある飲食品７に作用する（図４を参照）。好ましい実施形態では、該容器本体１の該外周壁１１の中段に設けられる該リング溝１６の外側表面に、該取付件３が直接に被装されて位置決めをされ、該取付件３が互いに組み合わせる２つの異なる色である弾性材料のカラー３１，３２として設定され、２つの該カラー３１，３２が遠赤外線を放射する材料を含有する。
【００１８】
該取付件４はスリーブ４１として設定され、該スリーブ４１が下から上方へ該容器本体１の該外周壁１１の下段と該底部壁１４に被装されて位置決めをされ、図４から図８までに示す実施例を参照し、該スリーブ４１が頂部開口４３とそれに相対する底部４２とを有し、該スリーブ４１が遠赤外線を放射する材料を含有可能であり、該スリーブ４１の内周縁に間隔で複数の係合ブロック４４が設けられ、各該係合ブロック４４がそれぞれに該容器本体１の該軸方向凹槽１８に進入され、次に偏向されてそれに相対する該係合溝１９に係合され、位置決めをされる。
【００１９】
該取付件５がスペーサー５１として設定され、該スペーサー５１が該容器本体１の該底部壁１４と該スリーブ４の該底部４２との間に設けられ、該スペーサー５１が遠赤外線を放射する材料を含有する。
【００２０】
該持ち手６は予めに弾性スナップリング６１に連接され、該弾性スナップリング６１により該容器本体１の該凸縁部１５の下に可動的に締められる。
【００２１】
本考案に係る容器は実際に使用される場合には、図２、図３、及び図４に示すように、該頂部キャップ２の該キャップ本体２２を直接に開けるだけでなく、該頂部キャップ２を直接にゆるめて外し、該容器本体１の該収容空間１２でお茶や飲料などの該飲食品７を盛る（図４を参照）。本考案に係る容器は、該取付件３と該取付件４と該取付件５とを組み合わせ、該カラー３１，３２と、該スリーブ４１と、該スペーサ５１とを該容器本体１の該外周壁１１及び該底部壁１４の外側表面に被装されて位置決めをされるため、該カラー３１，３２と、該スリーブ４１と、該スペーサ５１とが遠赤外線によって該容器本体１の該外周壁１１及び該底部壁１４の外側表面を通り、該収容空間１２の内にある該飲食品７に作用し、該飲食品７の酸っぱさを低下させ、人体に適され、人体の新陳代謝を向上させ、健康に役立つになる。
【００２２】
（第二実施例）
図９及び図１０に示すもう一つの実施例を参照し、本考案に係る容器は不透明材料である容器本体１０を使用可能であり、頂部キャップ２０を可動的に組み合わせ、該容器本体１０の外周壁にも取付件３とそのカラー３１，３２が被装されて位置決めをされる。
【００２３】
上記により、本考案は従来の飲食用容器の不足と欠点を克服し、その主要技術手段が該容器本体１の該外周壁１１及び該底部壁１４に遠赤外線を放射する材料を有するカラー３１，３２、スリーブ４１、及びスペーサー５１を設けることで、該飲食品７の酸っぱさを低下させ、人体に適され、人体の新陳代謝を向上させ、健康に役立つになるため、現実の必要を満たし、法律によって実用新案登録出願を出すことになる。
【００２４】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２５】
１……容器本体
１０……容器本体
１１……外周壁
１２……収容空間
１３……頂部開口
１４……底部壁
１５……凸縁部
１６……リング溝
１７……雄ねじ
１８……軸方向凹槽
１９……係合溝
２……頂部キャップ
２０……  頂部キャップ
２１……キャップ支持座
２２……キャップ本体
２３……液体排出口
２４……穴塞ぎ部材
２５……通気孔
２６……シール部材
２７……スナップ
２８……鉤部
２９……スナップリング
３……取付件
３１……カラー
３２……カラー
４……取付件
４１……スリーブ
４２……底部
４３……頂部開口
４４……係合ブロック
５……取付件
５１……スペーサー
６……持ち手
６１……弾性スナップリング
７……飲食品
【図１】
0003223259.tif 000003
【図２】
0003223259.tif 000004
【図３】
0003223259.tif 000005
【図４】
0003223259.tif 000006
【図５】
0003223259.tif 000007
【図６】
0003223259.tif 000008
【図７】
0003223259.tif 000009
【図８】
0003223259.tif 000010
【図９】
0003223259.tif 000011
【図１０】
0003223259.tif 000012